(57)【要約】【課題】内箱を包囲する蓋体が仮面、あるいは応援用のメガホンとして活用できる簡易食品箱を得る。【解決手段】上面が開口した直方体状の内箱（２）と該内箱（２）を包囲する蓋体（１５）とを設け、前記蓋体（１５）はシート基材に仮面模様を付すとともに、該仮面模様の目玉部（１５ｂ）周縁に断続スリット又はミシン孔からなる分離孔（１５ｃ）を設けて該目玉部（１５ｂ）をシート基材から分離可能とし、前記シート基材に前記内箱（２）の稜線に沿う折れ線（Ｍ１〜Ｍ６）を形成し、該シート基材の左右両側の長手方向中心部と長手方向一端部とにそれぞれに互いに係脱可能な第１係止部（１６）と第２係止部（１８）とを設ける。【選択図】      図２
2006315743.tif 000002
【特許請求の範囲】
【請求項１】
上面が開口した直方体状の内箱（２）と該内箱（２）を包囲する蓋体（１５）とを設け、前記蓋体（１５）はシート基材に仮面模様を付すとともに、該仮面模様の目玉部（１５ｂ）周縁に断続スリット又はミシン孔からなる分離孔（１５ｃ）を設けて該目玉部（１５ｂ）をシート基材から分離可能とし、前記シート基材に前記内箱（２）の稜線に沿う折れ線（Ｍ１〜Ｍ６）を形成し、該シート基材の左右両側の長手方向中心部と長手方向一端部とにそれぞれに互いに係脱可能な第１係止部（１６）と第２係止部（１８）とを設けたことを特徴する簡易食品箱。
【請求項２】
第１係止部（１６）はシート基材の左右両側の長手方向中心部にシート基材の左右中心方向に向かって湾曲する円弧状のスリット（１６ａ，１６ｂ）により形成し、第２係止部（１８）はシート基材の左右一方の側部に舌片状の差込片（１８ａ）を突出形成し、シート基材の左右他方の側部に前記差込片（１８ａ）が嵌合する差込孔（１８ｂ）を形成してなることを特徴とする請求項１記載の簡易食品箱。
【発明の詳細な説明】
【技術分野】
【０００１】
本発明は、スポーツの観戦時、イベント時等に寿司、菓子等の食品を収容して携行できるようにした簡易食品箱に関するものである。
【背景技術】
【０００２】
従来の技術として、上面が開口した直方体状の内箱を設け、該内箱を角筒状の蓋に差し込むようにしたものがあった。このものは、専ら、寿司、菓子等の食品を収容するのみで、食した後に空き箱を遊行用として活用することができないものであった。
【特許文献１】実開昭６２−１７５１４号公報
【発明の開示】
【発明が解決しようとする課題】
【０００３】
本発明は、内箱を包囲する蓋体が仮面、あるいは応援用のメガホンとして活用できるようにした新規な簡易食品箱を得ることを目的とする。
【課題を解決するための手段】
【０００４】
本発明は、前記目的を達成するために以下の如く構成したものである。即ち、請求項１に係る発明は、上面が開口した直方体状の内箱と該内箱を包囲する蓋体とを設け、前記蓋体はシート基材に仮面模様を付すとともに、該仮面模様の目玉部周縁に断続スリット又はミシン孔からなる分離孔を設けて該目玉部をシート基材から分離可能とし、前記シート基材に前記内箱の稜線に沿う折れ線を形成し、該シート基材の左右両側の長手方向中心部と長手方向一端部とにそれぞれに互いに係脱可能な第１係止部と第２係止部とを設ける構成にしたものである。
請求項２に係る発明は、前記第１係止部はシート基材の左右両側の長手方向中心部にシート基材の左右中心方向に向かって湾曲する円弧状のスリットにより形成し、前記第２係止部はシート基材の左右一方の側部に舌片状の差込片を突出形成し、シート基材の左右他方の側部に前記差込片が嵌合する差込孔を形成する構成にしたものである。
【発明の効果】
【０００５】
請求項１に係る発明は、内箱に寿司、菓子等の食品を収容し、蓋体をその折れ線に沿って屈曲させた後、左右の第１係止部を互いに係合させると、該蓋体が内箱を包囲する筒状となる。この状態で前記内箱を差し込むと、内箱の上面が蓋体によって閉塞され、内箱に収容した食品がこぼれなくなる。これにより、スポーツの観戦時、イベント時等に寿司、菓子等の食品を収容して携行することができる。
また、食した後に、蓋体を面状に拡げるとともに、目玉部をシート基材から分離させ、左右の第１係止部に輪ゴム、紐等を係止すれば、面状にした蓋体を仮面として活用することができる。また、蓋体を丸めて左右の第２係止部を互いに係合させると、該蓋体が円錐筒状に保持され、これをメガホンとして活用することができる。
【０００６】
請求項２に係る発明は、シート基材の左右両側にスリット、差込片、及び差込孔を形成して第１、第２係止部を形成するようにしたので、該第１、第２係止部を一枚のシート材を打ち抜くことで一気に形成することができ、製作費が安価になる。
【発明を実施するための最良の形態】
【０００７】
以下、本発明の実施の形態を図面に基いて説明する。図面において、図１は本発明による簡易食品箱の斜視図、図２は本発明による蓋体の展開平面図、図３は本発明による蓋体を円錐筒状に丸めた状態の斜視図、図４は本発明による内箱の斜視図、図５は本発明による内箱の展開平面図である。
【０００８】
図１において、１は厚紙を折って形成した簡易食品箱であり、上面が開口した細長い直方体状の内箱２と、該内箱２が嵌合する角筒状の蓋体１５とからなる。内箱２は図５に示す展開シート２−１を折って形成される。即ち、略正方形状の正面板３の左右両側に折れ線Ｌ１，Ｌ２を介して長方形状の左側板４及び右側板５を、下部に折れ線Ｌ３を介して台形状の正面底片６を、上部に折れ線Ｌ４を介して正面上片７ａをそれぞれ屈曲可能に連結する。
【０００９】
前記左側板４の下部に折れ線Ｌ５を介して基部側が小幅な段付き長方形状の左底片８を、左部に折れ線Ｌ６を介して左糊片９を、前記左底片８の右側に傾斜折れ線Ｌ７を介して三角形状の左底部糊片１０をそれぞれ屈曲可能に連結する。また、前記右側板５の下部に折れ線Ｌ８を介して基部側が広幅な段付き長方形状の右底片１１を、右部に折れ線Ｌ９を介して前述した正面板３と同形状の背面板１２を、前記右底片１１の右側に傾斜折れ線Ｌ１０を介して三角形状の右底部糊片１３をそれぞれ屈曲可能に連結する。また、前記背面板１２の下部に折れ線Ｌ１１を介して台形状の背面底片１４を、上部に折れ線Ｌ１２を介して背面上片７ｂをそれぞれ屈曲可能に連結する。
【００１０】
そして、正面板３を中心に、左右側板４，５、背面板１２及び各片を各折れ線Ｌ１〜Ｌ１２に沿って折り曲げるとともに、左糊片９を背面板１２に、左右の底部糊片１０，１３を正面底片６及び背面底片１４に固着することにより、図４に示すような上面が開口した直方体状の内箱２を形成する。
【００１１】
前述した蓋体１５は、図２に示す展開シート１５−１を折って形成される。即ち、上部左右に一対の角部１５ａ，１５ａを有する鬼の仮面模様及び外郭を有する厚紙製のシート基材に、上下に平行な６個の縦折れ線Ｍ１〜Ｍ６を形成する。各縦折れ線（折れ線）Ｍ１〜Ｍ６は、中央部の縦折れ線Ｍ３−Ｍ４の間隔を内箱２の左右幅に略対応する間隔とし、その両側の縦折れ線Ｍ２−Ｍ３、Ｍ４−Ｍ５の間隔を内箱２の高さに略対応する間隔とし、外側の縦折れ線Ｍ１−Ｍ２、Ｍ５−Ｍ６の間隔を前記中央部の縦折れ線Ｍ３−Ｍ４の間隔の約２分の１とする。なお、前記蓋体１５（展開シート１５−１）は、熊、あるいはパンダの仮面模様及び外郭を有する厚紙製のシート基材により形成してもよい。
【００１２】
また、左右最外側の縦折れ線Ｍ１，Ｍ６の上下中心部に第１係止部１６、１６を形成する。該第１係止部１６、１６は、シート基材の一部を左右中心方向に向かって円弧状に湾曲する円弧状のスリット１６ａ，１６ｂにより分断することによって形成する。また、展開シート１０−１の左右上側部に第２係止部１８を形成する。該第２係止部１８は、展開シート１５−１の左片から斜め上方に向かって突出する舌片状の差込片１８ａと、展開シート１５−１の右片の一部を右下りに分断した差込孔（スリット）１８ｂとからなる。また、左右の目玉部１５ｂ，１５ｂの周縁に断続スリット、又はミシン孔からなる分離孔１５ｃを形成し、該分離孔１５ｃにより前記各目玉部１５ｂ，１５ｂがシート基材から分離できるようにする。また、展開シート１５−１の上部側の左右端部に八形の傾斜折れ線Ｍ７，Ｍ８を形成する。
【００１３】
そして、前記展開シート１５−１を各縦折れ線Ｍ１−Ｍ６に沿って折り曲げるとともに、第１係止部１６、１６同士を互いに係合させて角筒状の蓋体１５を形成し、該蓋体１５に前述した内箱２を差し込んで図１に示すような簡易食品箱１を形成する。
【００１４】
前記実施例によれば、内箱２を蓋体１５から抜き出し、該内箱２内に収容した寿司、菓子等の食品を食した後、前記蓋体１５の第１係止部１６、１６の係合を離脱して面状にし、左右の目玉部１５ｂ，１５ｂをシート基材から離脱させ、左右の第１係止部１６，１６に輪ゴム、紐等を係止すると、該面状にした蓋体１５を被って鬼の仮面として活用することができる。また、離脱した目玉部１５ｂ，１５ｂを通してサッカー、野球等のスポーツを観戦することができる。また、図３に示すように、蓋体１５を丸めて第２係止部１８の差込片１８ａを差込孔１８ｂに差し込んで互いに係合させると、該蓋体１５が円錐筒状に保持され、これをメガホンとして活用することができる。
【図面の簡単な説明】
【００１５】
【図１】本発明による簡易食品箱の斜視図である。
【図２】本発明による蓋体の展開平面図である。
【図３】本発明による蓋体を円錐筒状に丸めた状態の斜視図である。
【図４】本発明による内箱の斜視図である。
【図５】本発明による内箱の展開平面図である。
【符号の説明】
【００１６】
１    簡易食品箱
２    内箱
２−１    展開シート
３    正面板
４    左側板
５    右側板
６    正面底片
７ａ  正面上片
７ｂ  背面上片
８    左底片
９    左糊片
１０    左底部糊片
１１    右底片
１２    背面板
１３    右底部糊片
１４    背面底片
１５    蓋体
１５−1    展開シート
１５ａ  角部
１５ｂ  目玉部
１５ｃ  分離孔
１６    第１係止部
１６ａ，１６ｂ  スリット
１８    第２係止部
１８ａ  差込片
１８ｂ  差込孔
Ｍ１〜Ｍ６  縦折れ線（折れ線）
Ｍ７，Ｍ８  傾斜折れ線
【図１】
2006315743.tif 000003
【図２】
2006315743.tif 000004
【図３】
2006315743.tif 000005
【図４】
2006315743.tif 000006
【図５】
2006315743.tif 000007